(57)【要約】【課題】ドラムなどの打楽器において、簡易な構成によりミュート効果が得られるようにし、しかもミュート効果の変更を随意にできるようにすることにより打楽器演奏における表現力を向上することを可能とし、製造コストの低いミュート構造を提供する。【解決手段】打楽器の主体となる胴本体１の一方または両方の開放端に張設したドラムヘッド２を、ラグボルト５を緊張してリム４またはフープ８により緊張するようにした打楽器において、前記リム４またはフープ８の一部に面ファスナ７を貼着し、該面ファスナ７にミュート効果が得られる素材Ｐを固定する。【選択図】　　図１
2004012987.tif 000002
【特許請求の範囲】
【請求項１】
打楽器の主体となる胴本体の一方または両方の開放端に張設したドラムヘッドを、ラグボルトを緊締してリムまたはフープにより緊張するようにした打楽器において、
前記リムまたはフープの一部に面ファスナを貼着し、該面ファスナにミュート効果が得られる素材を固定するようにしたことを特徴とする打楽器。
【発明の詳細な説明】
【０００１】
【発明の属する技術分野】
本発明は、スネアドラム、バスドラム、タムタムなど、ドラムヘッドを張設した打楽器に関するものであり、簡易な構成によりドラムヘッドの機械的振動状態を抑制してミュート効果を得られるようにしたものである。
【０００２】
【従来の技術】
一般にドラムに代表される打楽器では、動物性天然皮革あるいはポリエステル樹脂などの合成樹脂製シートなどにより形成されたドラムヘッドを円筒状の胴本体の一方または両方の開放端に張設し、打撃音を得るようにしている。そして、このような打楽器には、通常、ドラムヘッドの機械的振動状態を抑制するためのミュート装置が付設され、所望の音響効果を得るようにしている。
【０００３】
図７はこの種のドラムに内蔵されたミュート装置の一例を示す断面図であり、同図において、ドラムヘッド１０１は外周縁をヘッド枠１０２に固定し、胴本体１０３の開放端に配置する。そして、ラグ機構のラグボルトを緊締してリムまたはフープ１０４によりドラムヘッド１０１を緊張するようにしている。
【０００４】
前記胴本体１０３の外周面には回転ノブ１０５が取り付けられており、この回転ノブ１０５と一体に設けられたボルト１０６が胴本体１０１に螺合して内部に貫通している。そして、胴本体１０３の内周面にはスプリングアーム１０７がネジ１０８により固定されており、その揺動端１０７ａは前記ボルト１０６と螺合し、先端にドラムヘッド１０１の裏面に対向するフエルトパッド１０９が固着されている。
【０００５】
このように構成されたミュート装置においては、前記回転ノブを指先で転回することにより、スプリングアーム１０７の揺動端１０７ａを同図仮想線で示す上方の位置へ変位させ、フエルトパッド１０９をドラムヘッド１０１のヘッド面に接触させ、ミュート効果を得るようにしている。
【０００６】
一方、図８に示すミュート装置は、胴本体の外部に着脱自在となるように構成されたもので、同図においてアングル状に形成された支持部材２０３の支持アーム２０３ａの先端部に凹部２０４および貫通孔２０５が形成されており、この貫通孔２０５にボルト２０６が挿通されている。このボルト２０６の下端にはウレタンなどの軟質合成樹脂材料により円錐形状に形成された制振体２０７が固定されている。
【０００７】
前記支持部材２０３の他端に形成された支持脚２０３ｂには支軸２０８に軸支された揺動脚２０９を備え、蝶ネジ２１０を回転して揺動脚２０９の先端を時計回り方向に変位させ、支持脚２０３ｂの先端とにより胴本体２０２の端部を挟持する。
【０００８】
このように構成されたミュート装置においては、ボルト２０６を転回し、制振体２０７を降下し、その先端をドラムヘッド２０１に接触させることによりミュート効果を得るようにしている。
【０００９】
【発明が解決しようとする課題】
ところで、上記従来の構成によるミュート装置は、図７の内蔵方式あるいは図８の外付け方式の何れの構成においてもその構造が複雑であり、大きな製造コストを要求されるものである。しかも、ミュート効果の調整は回転ノブあるいはボルトを回転させて行うため、その作業が煩雑であり、また、演奏中にミュート効果の調整を行うようなことは現実的に不可能である。
【００１０】
本発明は上記従来の問題に鑑みなされたもので、製造コストを大きくすることなく、簡易な構成でミュート効果を得られるようにしたもので、演奏中においてもミュート効果の調整を可能とするようにしたものであり、これにより多彩な演奏効果が得られるようにしたものである。
【００１１】
【課題を解決するための手段】
そこで本発明は、打楽器の主体となる胴本体の一方または両方の開放端に張設したドラムヘッドを、ラグボルトを緊締してリムまたはフープにより緊張するようにした打楽器において、前記リムまたはフープの一部に面ファスナを貼着し、該面ファスナにミュート効果が得られる素材を固定するようにする。
【００１２】
【発明の実施の形態】
つぎに、図に示す本発明の実施の形態を詳細に説明する。
【００１３】
図１は本発明が実施されたドラムの斜視図であり、符号１は円筒状に形成された胴本体であり、その開放端にドラムヘッド２が配置される。そして、図２に示すごとく前記ドラムヘッド２の外周縁にはヘッド枠３が固定されており、このヘッド枠３が金属製のリム４のアングルに掛け止めされている。これにより、ラグ５のラグボルト６を転回して降下させることにより、ドラムヘッド２が緊張し、所望の音色が得られる。
【００１４】
そして、前記リム４の任意に定めた位置にその端部を被覆するように面ファスナ７が接着剤あるいは両面接着テープなどの適宜手段により固定されている。上記実施例は金属製のリムを対象とした構成であるが、図３は木製フープ８に本発明を実施した状態であり、この場合、フープ８に切り溝８ａを形成し、この切り溝８ａに同図および図４に示すごとく、面ファスナ７が接着剤あるいは両面接着テープなどの適宜手段により固定されている。
【００１５】
本発明は以上のごとく構成されており、これによりミュート効果を奏功させる場合は、図１、図３に示すごとくミュートパットＰの一端をリム４またはフープ８に固定した面ファスナ７に固定し、他端をドラムヘッド２上に配置する。
【００１６】
ところで、前記ミュートパットＰに好適な素材として、不織布、ガーゼあるいはタオル生地類など、材質、厚みを適宜選定したものをそのまま用いることも可能であり、この場合、面ファスナ７との接触抵抗が大きいため、位置ずれすることなく固定することが可能である。また、ミュートパットＰの安定的な固定を期待する場合は、図５に示すごとくミュートパットＰの一端に面ファスナ９を縫着し、この面ファスナ９をリム４またはフープ８の面ファスナ７に接合するようにしてもよい。また、ミュートパットＰの外形は方形に限らず、円形や楕円形など任意の形状とし得る。また、本発明によれば応急的な簡易手段として、例えば、ティッシュペーパなどを代用することも可能となる。
【００１７】
このようにしてミュートパットＰを配置してドラム演奏を行うと、このミュートパットＰによりドラムヘッド２が制振され、ミュート効果を得ることができる。そして、本発明による場合は、ミュートパットＰがリム４またはフープ８の面ファスナにより固定されているので、このミュートパットＰのドラムヘッド上の配置位置を図６に示すごとく容易に変更することができ、ミュート効果の程度を瞬時的に変更することができる。また、ミュートパットＰの着脱が容易であることから、演奏中においてもこれが可能となる。
【００１８】
【発明の効果】
以上詳細に説明したごとく本発明によれば、簡易な構成によりミュート効果が得られるようにしたので、従来の装置と比較して製造コストを格段に低くすることができる。また、ミュートパットのドラムヘッド上での配置位置の変更が容易に可能であるので、ミュート効果の変更を随意に行うことができる。また、このミュート効果の変更とともにミュートパットの着脱が演奏中においても可能であるため音色を多彩なものとすることができ、通常の演奏とミュート効果のある演奏を組み合わせることができるなど、多彩な演奏表現が可能となり、打楽器演奏の表現力を向上することができる。
【図面の簡単な説明】
【図１】本発明を実施したドラムを示す斜視図である。
【図２】本発明の要部拡大図である。
【図３】本発明の他の実施状態を示す断面図である。
【図４】図３の要部拡大斜視図である。
【図５】本発明で使用されるミュートパットの一例を示す斜視図である。
【図６】本発明におけるミュートパットの使用状態を示す斜視図である。
【図７】従来のミュート装置の例を示す断面図である。
【図８】従来のミュート装置の他の例を示す断面図である。
【符号の説明】
１・・・・・・胴本体
２・・・・・・ドラムヘッド
３・・・・・・ヘッド枠
４・・・・・・リム
５・・・・・・ラグ
６・・・・・・ラグボルト
７・・・・・・面ファスナ
８・・・・・・フープ
９・・・・・・面ファスナ
Ｐ・・・・・・ミュートパット
【図１】
2004012987.tif 000003
【図２】
2004012987.tif 000004
【図３】
2004012987.tif 000005
【図４】
2004012987.tif 000006
【図５】
2004012987.tif 000007
【図６】
2004012987.tif 000008
【図７】
2004012987.tif 000009
【図８】
2004012987.tif 000010